(57)【特許請求の範囲】
【請求項１】
光ファイバ伝送路を介してポイント・ツー・マルチポイントで接続される光加入者線終端装置（ＯＬＴ）と複数の光ネットワーク終端装置（ＯＮＵ）との間の通信状態を確認する通信監視装置において、
前記複数のＯＮＵから前記ＯＬＴへ伝送される光信号を受信し、前記ＯＮＵを特定するＯＮＵ固有情報および前記ＯＮＵの優先度対応キューに格納されているデータの有無を示すキュー情報が書き込まれた制御フレームを検出する制御フレーム検出手段と、
前記制御フレームから前記ＯＮＵ固有情報および前記キュー情報を読み出し、前記ＯＮＵ固有情報ごとに高優先度のキューにデータがある場合に通信中と判定し、高優先度のキューにデータがない場合に待機中と判定する信号処理手段と、
前記ＯＮＵ固有情報ごとに通信中または待機中を示す通信状態を表示部に表示させる表示制御手段と
を備えたことを特徴とする通信監視装置。
【請求項２】
光ファイバ伝送路を介してポイント・ツー・マルチポイントで接続される光加入者線終端装置（ＯＬＴ）と複数の光ネットワーク終端装置（ＯＮＵ）との間の通信状態を確認する通信監視装置において、
前記複数のＯＮＵから前記ＯＬＴへ伝送される光信号を受信し、前記ＯＮＵを特定するＯＮＵ固有情報および前記ＯＬＴによって前記複数のＯＮＵに個別に割り当てられたＯＮＵ割当情報が書き込まれた制御フレームを検出する制御フレーム検出手段と、
前記光信号から前記ＯＮＵ割当情報が書き込まれたデータフレームを検出するデータフレーム検出手段と、
前記制御フレームから前記ＯＮＵ固有情報と前記ＯＮＵ割当情報を読み出して両者を対応させた対応テーブル１を作成し、前記データフレームから前記ＯＮＵ割当情報を読み出して記載した対応テーブル２を作成し、この対応テーブル１および対応テーブル２を照合し、前記ＯＮＵ固有情報に対応する前記ＯＮＵ割当情報が前記対応テーブル２にある場合に通信中と判定し、前記ＯＮＵ固有情報に対応する前記ＯＮＵ割当情報が前記対応テーブル２にない場合に待機中と判定する信号処理手段と、
前記ＯＮＵ固有情報ごとに通信中または待機中を示す通信状態を表示部に表示させる表示制御手段と
を備えたことを特徴とする通信監視装置。
【請求項３】
請求項２に記載の通信監視装置において、
前記信号処理手段は、前記データフレームから前記ＯＮＵ割当情報と優先度を読み出し、前記ＯＮＵ割当情報と前記優先度を対応させた対応テーブル３を作成し、前記ＯＮＵ固有情報に対応する前記ＯＮＵ割当情報が前記対応テーブル３にあり、かつ高優先度のデータフレームがある場合に通信中と判定し、高優先度のデータフレームがない場合に待機中と判定する構成である
ことを特徴とする通信監視装置。
【請求項４】
請求項２に記載の通信監視装置において、
前記信号処理手段は、前記データフレームから前記ＯＮＵ割当情報とフレーム長を読み出し、前記ＯＮＵ割当情報と前記データフレームのフレーム長を対応させた対応テーブル４を作成し、前記ＯＮＵ固有情報に対応する前記ＯＮＵ割当情報が前記対応テーブル４にあり、かつ前記フレーム長が閾値以上のデータフレームがある場合に通信中と判定し、前記フレーム長が閾値以上のデータフレームがない場合に待機中と判定する構成である
ことを特徴とする通信監視装置。
【請求項５】
光ファイバ伝送路を介してポイント・ツー・マルチポイントで接続される光加入者線終端装置（ＯＬＴ）と複数の光ネットワーク終端装置（ＯＮＵ）との間の通信状態、または光ファイバ伝送路を介してポイント・ツー・ポイントで接続される光加入者線終端装置（ＯＬＴ）と光ネットワーク終端装置（ＯＮＵ）との間の通信状態を確認する通信監視装置において、
前記複数のＯＮＵから前記ＯＬＴへ伝送される光信号を受信し、ＯＮＵ固有情報および優先度が書き込まれたデータフレームを検出するデータフレーム検出手段と、
前記データフレームから前記ＯＮＵ固有情報と前記優先度を読み出し、前記ＯＮＵ固有情報ごとに前記データフレームが高優先度である場合に通信中と判定し、前記データフレームが高優先度でない場合に待機中と判定する信号処理手段と、
前記ＯＮＵ固有情報ごとに通信中または待機中を示す通信状態を表示部に表示させる表示制御手段と
を備えたことを特徴とする通信監視装置。
【請求項６】
光ファイバ伝送路を介してポイント・ツー・マルチポイントで接続される光加入者線終端装置（ＯＬＴ）と複数の光ネットワーク終端装置（ＯＮＵ）との間の通信状態、または光ファイバ伝送路を介してポイント・ツー・ポイントで接続される光加入者線終端装置（ＯＬＴ）と光ネットワーク終端装置（ＯＮＵ）との間の通信状態を確認する通信監視装置において、
前記複数のＯＮＵから前記ＯＬＴへ伝送される光信号を受信し、ＯＮＵ固有情報およびフレーム長が書き込まれたデータフレームを検出するデータフレーム検出手段と、
前記データフレームから前記ＯＮＵ固有情報と前記フレーム長を読み出し、前記ＯＮＵ固有情報ごとに前記データフレームのフレーム長が閾値以上の場合に通信中と判定し、前記データフレームのフレーム長が閾値以上でない場合に待機中と判定する信号処理手段と、
前記ＯＮＵ固有情報ごとに通信中または待機中を示す通信状態を表示部に表示させる表示制御手段と
を備えたことを特徴とする通信監視装置。
【請求項７】
請求項１〜請求項６に記載の通信監視装置において、
前記ＯＮＵに接続される光ファイバ伝送路の心線に取り付けられ、心線識別情報が書き込まれた心線識別情報タグから当該心線識別情報を読み取る心線識別情報読取手段を備え、
前記信号処理手段は、前記心線識別情報を入力し、前記心線識別情報と前記ＯＮＵ固有情報が一意に対応するときに、そのＯＮＵ固有情報を介して前記心線識別情報ごとに通信中または待機中を判定する構成であり、
前記表示制御手段は、前記心線識別情報タグから読み取った前記心線識別情報ごとに通信中または待機中を示す通信状態を表示部に表示させる構成である
ことを特徴とする通信監視装置。
【請求項８】
請求項７に記載の通信監視装置において、
前記信号処理手段は、前記心線識別情報と前記ＯＮＵ固有情報が一意に対応しないときに、両者を対応させるデータベースにアクセスし、データベースから得られる前記ＯＮＵ固有情報を介して前記心線識別情報ごとに通信中または待機中を判定する構成である
ことを特徴とする通信監視装置。
【請求項９】
請求項７または請求項８に記載の通信監視装置において、
外部の監視端末装置と無線通信する無線通信手段を備え、
前記信号処理手段は、前記心線識別情報ごとに通信中または待機中を示す通信状態を示す情報を前記無線通信手段を介して前記監視端末装置へ送信する制御を行う構成である
ことを特徴とする通信監視装置。
【請求項１０】
請求項７に記載の通信監視装置と無線通信する無線通信手段と、
前記ＯＮＵに接続される光ファイバ伝送路の心線に取り付けられ、心線識別情報が書き込まれた心線識別情報タグから当該心線識別情報を読み取る心線識別情報読取手段とを備え、
前記無線通信手段は、前記心線識別情報読取手段から入力する前記心線識別情報と前記ＯＮＵ固有情報が一意に対応するときはそのＯＮＵ固有情報を請求項７に記載の通信監視装置に通知し、前記心線識別情報と前記ＯＮＵ固有情報が一意に対応しないときは両者を対応させるデータベースにアクセスし、データベースから得られる前記ＯＮＵ固有情報を請求項７に記載の通信監視装置に通知する構成である
ことを特徴とする監視端末装置。
【請求項１１】
請求項１０に記載の監視端末装置において、
請求項９に記載の通信監視装置から前記心線識別情報ごとに通信中または待機中を示す通信状態を示す情報を前記無線通信手段を介して受信し、表示部に表示させる表示制御手段を備えた
ことを特徴とする監視端末装置。
【請求項１２】
請求項１０に記載の監視端末装置において、
前記無線通信手段は、前記心線識別情報読取手段から入力する前記心線識別情報と前記ＯＮＵ固有情報が一意に対応せず、かつ前記データベースにアクセスできないときに、前記心線識別情報を請求項８に記載の通信監視装置に通知する構成である
ことを特徴とする監視端末装置。
【請求項１３】
請求項１２に記載の監視端末装置において、
請求項９に記載の通信監視装置から前記心線識別情報ごとに通信中または待機中を示す通信状態を示す情報を前記無線通信手段を介して受信し、表示部に表示させる表示制御手段を備えた
ことを特徴とする監視端末装置。
【請求項１４】
請求項７に記載の通信監視装置において、
前記心線識別情報読取手段を持たず、請求項１０に記載の監視端末装置と無線通信する無線通信手段を備え、
前記信号処理手段は、前記監視端末装置から前記心線識別情報に対応する前記ＯＮＵ固有情報を前記無線通信手段を介して取得し、前記心線識別情報ごとに通信中または待機中を判定する構成である
ことを特徴とする通信監視装置。
【請求項１５】
請求項８に記載の通信監視装置において、
前記心線識別情報読取手段を持たず、請求項１２に記載の監視端末装置と無線通信する無線通信手段を備え、
前記信号処理手段は、前記監視端末装置から前記心線識別情報を前記無線通信手段を介して取得し、前記心線識別情報ごとに通信中または待機中を判定する構成である
ことを特徴とする通信監視装置。
【発明の詳細な説明】
【技術分野】
【０００１】
本発明は、光ファイバ伝送路を介して接続される光加入者線終端装置（ＯＬＴ：Optical Line Terminal)と光ネットワーク終端装置（ＯＮＵ：Optical Network Unit）との間の光アクセス区間で通信状態を確認する通信監視装置および監視端末装置に関する。
【背景技術】
【０００２】
図１３は、ポイント・ツー・ポイント通信を行う光アクセスシステムを示す。図において、光アクセスシステムは、通信端末８１に接続されるＯＮＵ８２とバックボーンネットワーク９１に接続されるＯＬＴ８４が、光ファイバ伝送路８５を介してポイント・ツー・ポイントで接続される構成である。光ファイバ伝送路８５には、試験用の光信号の入出力を行う光分岐器８６が挿入される。
【０００３】
図１４は、ポイント・ツー・マルチポイント通信を行うＰＯＮ（Passive Optical Network)アクセスシステムを示す。図において、ＰＯＮアクセスシステムは、複数ｎ個の通信端末８１にそれぞれ接続される複数ｎ個のＯＮＵ８２と、バックボーンネットワーク９１に接続されるＯＬＴ８４が、光ファイバ伝送路８５およびｍ：ｎ光分岐器８３を介してポイント・ツー・マルチポイントで接続される構成である。ｍは１以上、ｎは２以上の整数であり、ここではｍ＝２、ｎ＝３の場合を示す。光ファイバ伝送路８４には、試験用の光信号の入出力を行う光分岐器８６が挿入される。
【０００４】
このような光アクセスシステムにおいて、例えば道路工事などの要因による支障移転工事のために光ファイバケーブルを移設する必要性が生じた場合に、既存の光ファイバケーブルを切断し、新たに敷設した光ファイバケーブルへ接続し直すことが必要になる。このような光ファイバの経路変更工事などでは、光ファイバの１本１本について通信状態を確認して切断処理を行う必要がある。その場合、従来の方法として、図１５に示すように、バックボーンネットワーク９１側の制御監視オペレーションシステム９２を用い、例えばＶｏＩＰ（Voice over IP ）サービスに関してエンド・ツー・エンドのパス管理により通信状態を判別する方法がある（非特許文献１）。
【０００５】
ところで、ＰＯＮシステムの一つの方式として、ＯＮＵからＯＬＴへの上りデータが時分割多重アクセス（ＴＤＭＡ）によって多重されるＴＤＭＡ−ＰＯＮがある。ＴＤＭＡ−ＰＯＮは、複数のＯＮＵが互いに異なるタイムスロットを利用してＯＬＴに信号を送信する。ＴＤＭＡ−ＰＯＮの代表的な規格であるＥ(Ethernet)ＰＯＮでは、通信端末から送信されたデータをＯＮＵ内の優先度に対応するキューに格納し、ＯＮＵは各キューに格納されたデータ量（キュー情報）をリポートメッセージを用いてＯＬＴへ報告する。このリポートメッセージのキュー情報を監視すると、優先度の高い通信が行われているか否かを判別することが可能である。
【０００６】
なお、ＯＮＵからＯＬＴへのリポートメッセージはIEEE802.3 規格で標準化されており、リポートメッセージにはＯＮＵの固有情報となるＭＡＣ（Media Access Control）アドレスが送信元アドレスとして付加される。また、ＯＮＵの固有情報としてはＭＡＣアドレスの他に、ＯＬＴ−ＯＮＵ間のイーサネット（登録商標）のデータフレームに、IEEE802.1Qで規定されるＶＬＡＮＩＤ（Virtual LAN Indentification ）も付与される。
【０００７】
ここで、このようなＯＬＴ−ＯＮＵ間のポイント・ツー・マルチポイント通信に関する規約はＭＰＣＰ（Multipoint Control Protocol)と呼ばれ、ＯＬＴ−ＯＮＵ間でデータリンクの識別のために、識別子ＬＬＩＤ（Logical Link Indentification）がＯＬＴによって各ＯＮＵに割り当てられ、ＭＰＣＰのフレームヘッダに付与される。
【０００８】
また、通信中の判別方法として、IEEE802.1Pにおいて、優先度を変えてフレームの中継を行うためのイーサネットのヘッダにＱｏＳ（優先制御）ビットが規定されている。同様に、ＩＰ通信の規定として、RFC1349 、RFC2474 、RFC3168 においても、ＩＰパケットのヘッダに優先すべきパケットを先に通す処理を行うためのＱｏＳビットが規定されている。さらに、ＩＰ技術による電話通信では、音声パケットが一定周期で一定長のフレームが双方向に流れる。
【非特許文献１】中島亮悦、他、「ブロードバンドアクセスネットワークのオペレーションシステム」、FUJITSU ACCESS REVIEW2004-1 、富士通アクセス株式会社、2003年12月25日、Vol.13、No.1、pp.36-44
【発明の開示】
【発明が解決しようとする課題】
【０００９】
光アクセスネットワークの通信状態を監視する方法として、図１５に示すバックボーンネットワーク９１側の制御監視オペレーションシステム９２を用いる方法では、光アクセスリンクの状態およびサービスの通信の優先度を判別することができなかった。また、ＰＯＮ分岐先の心線ごとの通信状態は、ＭＰＣＰの制御フレームから得られるＯＮＵの固有情報を得る手段がないため個別に判別することができなかった。
【００１０】
本発明は、光アクセスネットワークにおける光ファイバの経路変更工事などにおいて、ＯＮＵ−ＯＬＴ間の光ファイバ中の通信状態を確認することができる通信監視装置および監視端末装置を提供することを目的とする。
【課題を解決するための手段】
【００１１】
第１の発明は、光ファイバ伝送路を介してポイント・ツー・マルチポイントで接続される光加入者線終端装置（ＯＬＴ）と複数の光ネットワーク終端装置（ＯＮＵ）との間の通信状態を確認する通信監視装置において、複数のＯＮＵからＯＬＴへ伝送される光信号を受信し、ＯＮＵを特定するＯＮＵ固有情報およびＯＮＵの優先度対応キューに格納されているデータの有無を示すキュー情報が書き込まれた制御フレームを検出する制御フレーム検出手段と、制御フレームからＯＮＵ固有情報およびキュー情報を読み出し、ＯＮＵ固有情報ごとに高優先度のキューにデータがある場合に通信中と判定し、高優先度のキューにデータがない場合に待機中と判定する信号処理手段と、ＯＮＵ固有情報ごとに通信中または待機中を示す通信状態を表示部に表示させる表示制御手段とを備える。
【００１２】
第２の発明は、光ファイバ伝送路を介してポイント・ツー・マルチポイントで接続される光加入者線終端装置（ＯＬＴ）と複数の光ネットワーク終端装置（ＯＮＵ）との間の通信状態を確認する通信監視装置において、複数のＯＮＵからＯＬＴへ伝送される光信号を受信し、ＯＮＵを特定するＯＮＵ固有情報およびＯＬＴによって複数のＯＮＵに個別に割り当てられたＯＮＵ割当情報が書き込まれた制御フレームを検出する制御フレーム検出手段と、光信号からＯＮＵ割当情報が書き込まれたデータフレームを検出するデータフレーム検出手段と、制御フレームからＯＮＵ固有情報とＯＮＵ割当情報を読み出して両者を対応させた対応テーブル１を作成し、データフレームからＯＮＵ割当情報を読み出して記載した対応テーブル２を作成し、この対応テーブル１および対応テーブル２を照合し、ＯＮＵ固有情報に対応するＯＮＵ割当情報が対応テーブル２にある場合に通信中と判定し、ＯＮＵ固有情報に対応するＯＮＵ割当情報が対応テーブル２にない場合に待機中と判定する信号処理手段と、ＯＮＵ固有情報ごとに通信中または待機中を示す通信状態を表示部に表示させる表示制御手段とを備える。
【００１３】
第３の発明は、第２の発明の通信監視装置において、信号処理手段は、データフレームからＯＮＵ割当情報と優先度を読み出し、ＯＮＵ割当情報と優先度を対応させた対応テーブル３を作成し、ＯＮＵ固有情報に対応するＯＮＵ割当情報が対応テーブル３にあり、かつ高優先度のデータフレームがある場合に通信中と判定し、高優先度のデータフレームがない場合に待機中と判定する構成としてもよい。
【００１４】
第４の発明は、第２の発明の通信監視装置において、信号処理手段は、データフレームからＯＮＵ割当情報とフレーム長を読み出し、ＯＮＵ割当情報とデータフレームのフレーム長を対応させた対応テーブル４を作成し、ＯＮＵ固有情報に対応するＯＮＵ割当情報が対応テーブル４にあり、かつフレーム長が閾値以上のデータフレームがある場合に通信中と判定し、フレーム長が閾値以上のデータフレームがない場合に待機中と判定する構成としてもよい。
【００１５】
第５の発明は、光ファイバ伝送路を介してポイント・ツー・マルチポイントで接続される光加入者線終端装置（ＯＬＴ）と複数の光ネットワーク終端装置（ＯＮＵ）との間の通信状態、または光ファイバ伝送路を介してポイント・ツー・ポイントで接続される光加入者線終端装置（ＯＬＴ）と光ネットワーク終端装置（ＯＮＵ）との間の通信状態を確認する通信監視装置において、複数のＯＮＵからＯＬＴへ伝送される光信号を受信し、ＯＮＵ固有情報および優先度が書き込まれたデータフレームを検出するデータフレーム検出手段と、データフレームからＯＮＵ固有情報と優先度を読み出し、ＯＮＵ固有情報ごとにデータフレームが高優先度である場合に通信中と判定し、データフレームが高優先度でない場合に待機中と判定する信号処理手段と、ＯＮＵ固有情報ごとに通信中または待機中を示す通信状態を表示部に表示させる表示制御手段とを備える。
【００１６】
第６の発明は、光ファイバ伝送路を介してポイント・ツー・マルチポイントで接続される光加入者線終端装置（ＯＬＴ）と複数の光ネットワーク終端装置（ＯＮＵ）との間の通信状態、または光ファイバ伝送路を介してポイント・ツー・ポイントで接続される光加入者線終端装置（ＯＬＴ）と光ネットワーク終端装置（ＯＮＵ）との間の通信状態を確認する通信監視装置において、複数のＯＮＵからＯＬＴへ伝送される光信号を受信し、ＯＮＵ固有情報およびフレーム長が書き込まれたデータフレームを検出するデータフレーム検出手段と、データフレームからＯＮＵ固有情報とフレーム長を読み出し、ＯＮＵ固有情報ごとにデータフレームのフレーム長が閾値以上の場合に通信中と判定し、データフレームのフレーム長が閾値以上でない場合に待機中と判定する信号処理手段と、ＯＮＵ固有情報ごとに通信中または待機中を示す通信状態を表示部に表示させる表示制御手段とを備える。  
【００１７】
第７の発明は、第１〜第６の発明の通信監視装置において、ＯＮＵに接続される光ファイバ伝送路の心線に取り付けられ、心線識別情報が書き込まれた心線識別情報タグから当該心線識別情報を読み取る心線識別情報読取手段を備え、信号処理手段は、心線識別情報を入力し、心線識別情報とＯＮＵ固有情報が一意に対応するときに、そのＯＮＵ固有情報を介して心線識別情報ごとに通信中または待機中を判定する構成であり、表示制御手段は、心線識別情報タグから読み取った心線識別情報ごとに通信中または待機中を示す通信状態を表示部に表示させる構成としてもよい。
【００１８】
第８の発明は、第７の発明の通信監視装置において、信号処理手段は、心線識別情報とＯＮＵ固有情報が一意に対応しないときに、両者を対応させるデータベースにアクセスし、データベースから得られるＯＮＵ固有情報を介して心線識別情報ごとに通信中または待機中を判定する構成としてもよい。
【００１９】
第９の発明は、第７または第８の発明の通信監視装置において、外部の監視端末装置と無線通信する無線通信手段を備え、信号処理手段は、心線識別情報ごとに通信中または待機中を示す通信状態を示す情報を無線通信手段を介して監視端末装置へ送信する制御を行う構成としてもよい。
【００２０】
第１０の発明の監視端末装置は、第７の発明の通信監視装置と無線通信する無線通信手段と、ＯＮＵに接続される光ファイバ伝送路の心線に取り付けられ、心線識別情報が書き込まれた心線識別情報タグから当該心線識別情報を読み取る心線識別情報読取手段とを備え、無線通信手段は、心線識別情報読取手段から入力する心線識別情報とＯＮＵ固有情報が一意に対応するときはそのＯＮＵ固有情報を第７の発明の通信監視装置に通知し、心線識別情報とＯＮＵ固有情報が一意に対応しないときは両者を対応させるデータベースにアクセスし、データベースから得られるＯＮＵ固有情報を通信監視装置に通知する構成である。
【００２１】
第１１の発明は、第１０の発明の監視端末装置において、通信監視装置から心線識別情報ごとに通信中または待機中を示す通信状態を示す情報を無線通信手段を介して受信し、表示部に表示させる表示制御手段を備えてもよい。
第１２の発明は、第１０の発明の監視端末装置において、無線通信手段は、心線識別情報読取手段から入力する心線識別情報とＯＮＵ固有情報が一意に対応せず、かつデータベースにアクセスできないときに、心線識別情報を通信監視装置に通知する構成としてもよい。
第１３の発明は、第１２の発明の監視端末装置において、通信監視装置から心線識別情報ごとに通信中または待機中を示す通信状態を示す情報を無線通信手段を介して受信し、表示部に表示させる表示制御手段を備えてもよい。
【００２２】
第１４の発明は、第７の発明の通信監視装置において、心線識別情報読取手段を持たず、請求項１０に記載の監視端末装置と無線通信する無線通信手段を備え、信号処理手段は、監視端末装置から心線識別情報に対応するＯＮＵ固有情報を無線通信手段を介して取得し、心線識別情報ごとに通信中または待機中を判定する構成である。
第１５の発明は、第８の発明の通信監視装置において、心線識別情報読取手段を持たず、請求項１２に記載の監視端末装置と無線通信する無線通信手段を備え、信号処理手段は、監視端末装置から心線識別情報を無線通信手段を介して取得し、心線識別情報ごとに通信中または待機中を判定する構成である。
【発明の効果】
【００２３】
本発明は、ＯＮＵからＯＬＴへ送信される光信号を受信し、光信号から制御フレームを検出し、制御フレームから得られるＯＮＵ固有番号と優先対応キューのデータ量に応じて、ＯＮＵ固有番号に対応するＯＮＵが通信中か待機中かを確認することができる。
【００２４】
本発明は、ＯＮＵからＯＬＴへ送信される光信号を受信し、光信号から制御フレームとデータフレームを検出し、制御フレームから得られるＯＮＵ固有番号、ＯＮＵ割当番号と、データフレームから得られるＯＮＵ割当番号を照合することにより、ＯＮＵ固有番号に対応するＯＮＵが通信中か待機中かを確認することができる。さらに、データフレームの優先度やフレーム長を監視することにより、ＯＮＵ固有番号に対応するＯＮＵが通信中か待機中かを確認することができる。
【００２５】
本発明は、ＯＮＵからＯＬＴへ送信される光信号を受信し、光信号からデータフレームを検出し、データフレームから得られるＯＮＵ固有番号と優先度に応じて、ＯＮＵ固有番号に対応するＯＮＵが通信中か待機中かを確認することができる。
【００２６】
さらに、本発明は、ＯＮＵに接続される心線に取り付けた心線識別情報タグから心線識別情報を読み取り、ＯＮＵ固有番号と対応させることにより、心線対応にＯＮＵが通信中か待機中かを確認することができる。
【発明を実施するための最良の形態】
【００２７】
（第１の実施形態）
図１は、本発明の通信監視装置の第１の実施形態を示す。
図１(1) は、本発明の通信監視装置１０が用いられるポイント・ツー・マルチポイントシステムの構成例を示す。複数ｎ個の通信端末８１にそれぞれ接続される複数ｎ個のＯＮＵ８２と、バックボーンネットワーク９１に接続されるＯＬＴ８４が、光ファイバ伝送路８５およびｍ：ｎ光分岐器８３を介してポイント・ツー・マルチポイントで接続される。ｍは１以上、ｎは２以上の整数であり、図はｍ＝２、ｎ＝３の場合を示す。光ファイバ伝送路８４には、試験用の光信号の入出力を行う光分岐器８６が挿入される。本実施形態の通信監視装置１０は光分岐器８６に接続され、各ＯＮＵ８２からＯＬＴ８４へ伝送される光信号を光分岐器８６で分岐して入力する。なお、本実施形態の通信監視装置１０は、ｍ：ｎ光分岐器８３のｍ側の分岐端子に接続してもよい。
【００２８】
図１(2) は、通信監視装置１０の構成例を示す。通信監視装置１０は、第１の実施形態に対応するものとして、光信号受信部１１、信号処理部１２および表示制御部１３を有する。ここで、図１および図２を参照して第１の実施形態の通信監視装置１０の処理例について説明する。
【００２９】
光信号受信部１１は、ＯＮＵ８２からＯＬＴ８４へ伝送される光信号を受信し、光信号から例えばIEEE802.3 で規定されている制御フレーム（例えばＭＰＣＰのリポートフレーム）を検出する。なお、制御フレームを検出しない場合には、リンク未確立で通信無の状態である。制御フレームには、ＯＮＵ８２を特定するＯＮＵ固有情報（例えばＭＡＣアドレスやＶＬＡＮＩＤ）およびＯＮＵ８２の優先度対応キューに格納されているデータの有無を示すキュー情報が書き込まれているものとする。
【００３０】
信号処理部１２は、光信号受信部１１で検出された制御フレームを入力し、制御フレームからＯＮＵ固有情報（ＭＡＣアドレス）およびキュー情報を読み出し、図２(2) に示すような対応テーブルを作成する。ここでは、ＯＮＵ固有情報（ＭＡＣアドレス：aaaaaaaa）のＯＮＵについて、優先度対応キュー１〜８のうち高優先度のキュー１，３および低優先度のキュー８にデータがあり、ＯＮＵ固有情報（ＭＡＣアドレス：bbbbbbbb）のＯＮＵ８２について低優先度のキュー７にデータがある状態を示している。
【００３１】
次に、信号処理部１２は、ＯＮＵ固有情報ごとに高優先度のキューにデータがある場合に「通信中」と判定し、高優先度のキューにデータがない場合に「待機中」と判定する処理を行い、図２(3) に示すような表示テーブルを作成する。ここでは、ＯＮＵ固有情報（aaaaaaaa）が「通信中」と判定され、ＯＮＵ固有情報（bbbbbbbb）が「待機中」と判定される。このＯＮＵ固有情報ごとに通信中または待機中を示す通信状態は、表示制御部１３から表示部（図示せず）に出力・表示させる。これによりＯＮＵ固有情報に対応するＯＮＵの通信状態を確認することができる。
【００３２】
（第２の実施形態）
第２の実施形態は、図１に示すポイント・ツー・マルチポイントシステムの通信監視装置１０において、光信号受信部１１で制御フレームとデータフレームを検出し、信号処理部１２で制御フレームおよびデータフレームに基づき通信状態を確認することを特徴とする。
【００３３】
図１および図３を参照して第２の実施形態の通信監視装置１０の処理例について説明する。光信号受信部１１は、ＯＮＵ８２からＯＬＴ８４へ伝送される光信号を受信し、光信号から例えばIEEE802.3 で規定されている制御フレーム（例えばＭＰＣＰのリポートフレーム）を検出する。なお、制御フレームを検出しない場合には、リンク未確立で通信無の状態である。制御フレームには、ＯＮＵ８２を特定するＯＮＵ固有情報（例えばＭＡＣアドレスやＶＬＡＮＩＤ）およびＯＬＴ８４によって各ＯＮＵ８２に個別に割り当てられたＯＮＵ割当情報（例えばＬＬＩＤ）が書き込まれているものとする。
【００３４】
信号処理部１２は、光信号受信部１１で検出された制御フレームを入力し、制御フレームからＯＮＵ固有情報（ＭＡＣアドレス）およびＯＮＵ割当情報（ＬＬＩＤ）を読み出し、図３(2) に示すような対応テーブル１を作成する。ここでは、ＯＮＵ固有情報（ＭＡＣアドレス：aaaaaaaa）とＯＮＵ割当情報（ＬＬＩＤ：AAAAAAAA）が対応し、ＯＮＵ固有情報（ＭＡＣアドレス：bbbbbbbb）とＯＮＵ割当情報（ＬＬＩＤ：BBBBBBBB）が対応する状態を示している。
【００３５】
次に、光信号受信部１１はデータフレームを監視し、例えばIEEE802.3 で規定されているデータフレームを検出した場合に信号処理部１２に出力する。信号処理部１２はデータフレームからＯＮＵ割当情報を読み出し、図３(3) に示す対応テーブル２を作成する。ここでは、データフレームから読み出したＯＮＵ割当情報（ＬＬＩＤ：AAAAAAAA）があり、ＯＮＵ固有情報（ＭＡＣアドレス：bbbbbbbb）に対するＯＮＵ割当情報（ＬＬＩＤ：BBBBBBBB）を有するデータフレームが未検出の状態を示す。
【００３６】
次に、信号処理部１２は、対応テーブル１と対応テーブル２を照合し、ＯＮＵ固有情報（ＭＡＣアドレス）に対応するＯＮＵ割当情報（ＬＬＩＤ）が対応テーブル２にある場合に「通信中」と判定し、対応テーブル２にない場合に「待機中」と判定する処理を行い、図３(4) に示すような表示テーブルを作成する。ここでは、ＯＮＵ固有情報（aaaaaaaa）が「通信中」と判定され、ＯＮＵ固有情報（bbbbbbbb）が「待機中」と判定される。このＯＮＵ固有情報ごとに通信中または待機中を示す通信状態は、表示制御部１３から表示部（図示せず）に出力・表示させる。これによりＯＮＵ固有情報に対応するＯＮＵの通信状態を確認することができる。
【００３７】
（第３の実施形態）
第３の実施形態は、図１に示すポイント・ツー・マルチポイントシステムの通信監視装置１０において、光信号受信部１１で制御フレームとデータフレームを検出し、信号処理部１２で制御フレームおよびデータフレームに基づき通信状態を確認することを特徴とする。
【００３８】
第３の実施形態は、第２の実施形態のＯＮＵ固有情報ごとに通信中または待機中の判定に用いるデータフレームの検出（ＯＮＵ割当情報の検出）に加えて、データフレームの優先度を用いることを特徴とする。基本的な構成は第２の実施形態と同様である。
【００３９】
図１および図４を参照して第３の実施形態の通信監視装置１０の処理例について説明する。なお、図４(2) に示すＯＮＵ固有情報（ＭＡＣアドレス）とＯＮＵ割当情報（ＬＬＩＤ）の対応テーブル１の作成までは同じであり、それ以降について説明する。光信号受信部１１はデータフレームを監視し、例えばIEEE802.3 で規定されているデータフレームを検出した場合に信号処理部１２に出力する。信号処理部１２はデータフレームからＯＮＵ割当情報およびＱｏＳビットによる優先度情報を読み出し、図４(3) に示す対応テーブル３を作成する。ここでは、ＯＮＵ割当情報（ＬＬＩＤ：AAAAAAAA）と高優先度１，３および低優先度８が対応し、ＯＮＵ割当情報（ＬＬＩＤ：BBBBBBBB）と低優先度７が対応する状態を示す。
【００４０】
次に、信号処理部１２は、対応テーブル１と対応テーブル３を照合し、ＯＮＵ固有情報（ＭＡＣアドレス）に対応するＯＮＵ割当情報（ＬＬＩＤ）が対応テーブル３にあり、かつ高優先度のデータがある場合に「通信中」と判定し、高優先度のデータがない場合に「待機中」と判定する処理を行い、図４(4) に示すような表示テーブルを作成する。ここでは、ＯＮＵ固有情報（aaaaaaaa）が「通信中」と判定され、ＯＮＵ固有情報（bbbbbbbb）が「待機中」と判定される。このＯＮＵ固有情報ごとに通信中または待機中を示す通信状態は、表示制御部１３から表示部（図示せず）に出力・表示させる。これによりＯＮＵ固有情報に対応するＯＮＵの通信状態を確認することができる。
【００４１】
（第４の実施形態）
第４の実施形態は、図１に示すポイント・ツー・マルチポイントシステムの通信監視装置１０において、光信号受信部１１で制御フレームとデータフレームを検出し、信号処理部１２で制御フレームおよびデータフレームに基づき通信状態を確認することを特徴とする。
【００４２】
第４の実施形態は、基本的には第３の実施形態と同様であるが、第３の実施形態でデータフレームの優先度に応じて「通信中」と「待機中」を判定していたところを、データフレームのフレーム長を用いて判定することを特徴とする。
【００４３】
図１および図５を参照して第４の実施形態の通信監視装置１０の処理例について説明する。なお、図４(2) に示すＯＮＵ固有情報（ＭＡＣアドレス）とＯＮＵ割当情報（ＬＬＩＤ）の対応テーブル１の作成までは同じであり、それ以降について説明する。光信号受信部１１はデータフレームを監視し、例えばIEEE802.3 で規定されているデータフレームを検出した場合に信号処理部１２に出力する。信号処理部１２はデータフレームからＯＮＵ割当情報およびフレーム長を読み出し、図５(3) に示す対応テーブル４を作成する。ここでは、ＯＮＵ割当情報（ＬＬＩＤ：AAAAAAAA）のデータフレームはフレーム長が閾値以上あり、ＯＮＵ割当情報（ＬＬＩＤ：BBBBBBBB）のデータフレームはフレーム長が閾値以上ないとされた状態を示す。
【００４４】
次に、信号処理部１２は、対応テーブル１と対応テーブル４を照合し、ＯＮＵ固有情報（ＭＡＣアドレス）に対応するＯＮＵ割当情報（ＬＬＩＤ）が対応テーブル４にあり、かつフレーム長が閾値以上のデータフレームがある場合に「通信中」と判定し、フレーム長が閾値以上のデータフレームがない場合に「待機中」と判定する処理を行い、図５(4) に示すような表示テーブルを作成する。ここでは、ＯＮＵ固有情報（aaaaaaaa）が「通信中」と判定され、ＯＮＵ固有情報（bbbbbbbb）が「待機中」と判定される。このＯＮＵ固有情報ごとに通信中または待機中を示す通信状態は、表示制御部１３から表示部（図示せず）に出力・表示させる。これによりＯＮＵ固有情報に対応するＯＮＵの通信状態を確認することができる。
【００４５】
（第５の実施形態）
図６は、本発明の通信監視装置の第５の実施形態を示す。
図６(1) は、本発明の通信監視装置１０が用いられるポイント・ツー・マルチポイントシステムの構成例であり、図１(1) に示す構成例と同じであり、本実施形態の通信監視装置２０は光分岐器８６に接続され、各ＯＮＵ８２からＯＬＴ８４へ伝送される光信号を光分岐器８６で分岐して入力する。なお、本実施形態の通信監視装置２０は、ｍ：ｎ光分岐器８３のｍ側の分岐端子に接続してもよい。
【００４６】
図６(2) は、本発明の通信監視装置１０が用いられるポイント・ツー・ポイントシステムの構成例を示す。通信端末８１に接続されるＯＮＵ８２と、バックボーンネットワーク９１に接続されるＯＬＴ８４が、光ファイバ伝送路８５を介してポイント・ツー・ポイントで接続される。光ファイバ伝送路８５には、試験用の光信号の入出力を行う光分岐器８６が挿入される。本実施形態の通信監視装置２０は光分岐器８６に接続され、各ＯＮＵ８２からＯＬＴ８４へ伝送される光信号を光分岐器８６で分岐して入力する。
【００４７】
図６(3) は、通信監視装置２０の構成例を示す。通信監視装置２０は、ポイント・ツー・マルチポイントシステムおよびポイント・ツー・ポイントシステムの両方に対応し、第５の実施形態に対応するものとして、光信号受信部２１、信号処理部２２および表示制御部２３を有する。ここで、図６および図７を参照して第５の実施形態の通信監視装置２０の処理例について説明する。
【００４８】
光信号受信部２１は、ＯＮＵ８２からＯＬＴ８４へ伝送される光信号を受信し、データフレームを検出する。信号処理部２２はデータフレームを入力し、データフレームからＯＮＵ固有情報（ＶＬＡＮＩＤ）およびＱｏＳビットによる優先度情報を読み出し、図７(2) に示す対応テーブルを作成する。ここでは、ＯＮＵ固有情報（ＶＬＡＮＩＤ：aaaaaaaa）と高優先度１，３および低優先度８が対応し、ＯＮＵ固有情報（ＶＬＡＮＩＤ：bbbbbbbb）と低優先度７が対応する状態を示す。
【００４９】
次に、信号処理部２２は、ＯＮＵ固有情報ごとに高優先度のデータフレームがある場合に「通信中」と判定し、高優先度のデータフレームがない場合に「待機中」と判定する処理を行い、図７(3) に示すような表示テーブルを作成する。ここでは、ＯＮＵ固有情報（aaaaaaaa）が「通信中」と判定され、ＯＮＵ固有情報（bbbbbbbb）が「待機中」と判定される。このＯＮＵ固有情報ごとに通信中または待機中を示す通信状態は、表示制御部２３から表示部（図示せず）に出力・表示させる。これによりＯＮＵ固有情報に対応するＯＮＵの通信状態を確認することができる。
【００５０】
（第６の実施形態）
第６の実施形態は、図６に示すポイント・ツー・マルチポイントシステムまたはポイント・ツー・ポイントシステムの通信監視装置２０において、光信号受信部２１でデータフレームを検出し、信号処理部２２でデータフレームに基づき通信状態を確認することを特徴とする。
【００５１】
第６の実施形態は、基本的には第５の実施形態と同様であるが、第５の実施形態でデータフレームの優先度に応じて「通信中」と「待機中」を判定していたところを、データフレームのフレーム長を用いて判定するところに特徴がある。
【００５２】
図６および図８を参照して第６の実施形態の通信監視装置２０の処理例について説明する。光信号受信部２１は、ＯＮＵ８２からＯＬＴ８４へ伝送される光信号を受信し、データフレームを検出する。信号処理部２２はデータフレームを入力し、データフレームからＯＮＵ固有情報（ＶＬＡＮＩＤ）およびフレーム長を読み出し、図８(2) に示す対応テーブルを作成する。ここでは、ＯＮＵ固有情報（ＶＬＡＮＩＤ：aaaaaaaa）のデータフレームはフレーム長が閾値以上あり、ＯＮＵ固有情報（ＶＬＡＮＩＤ：bbbbbbbb）のデータフレームはフレーム長が閾値以上ないとされた状態を示す。
【００５３】
次に、信号処理部２２は、ＯＮＵ固有情報ごとにフレーム長が閾値以上のデータフレームがある場合に「通信中」と判定し、フレーム長が閾値以上のデータフレームがない場合に「待機中」と判定する処理を行い、図８(3) に示すような表示テーブルを作成する。ここでは、ＯＮＵ固有情報（aaaaaaaa）が「通信中」と判定され、ＯＮＵ固有情報（bbbbbbbb）が「待機中」と判定される。このＯＮＵ固有情報ごとに通信中または待機中を示す通信状態は、表示制御部２３から表示部（図示せず）に出力・表示させる。これによりＯＮＵ固有情報に対応するＯＮＵを認識しながらその通信状態を確認することができる。
【００５４】
（第７の実施形態）
本実施形態は、ＯＮＵに接続される光ファイバ伝送路の心線に心線識別情報を書き込んだ心線識別情報タグを取り付け、通信監視装置がその心線識別情報を読み取り、第１〜第６の実施形態に示したＯＮＵ固有情報（ＭＡＣアドレス、ＶＬＡＮＩＤ）に対応させることにより、心線に接続されるＯＮＵの通信状態を確認できるようにしたものである。
【００５５】
図９は、本発明の通信監視装置の第７の実施形態を示す。
図９(1) は、本発明の通信監視装置３０が用いられるポイント・ツー・マルチポイントシステムの構成例を示す。図１(1) に示す構成例と同じであるが、本実施形態の通信監視装置３０はｍ：ｎ光分岐器８３に接続され、各ＯＮＵ８２からＯＬＴ８４へ伝送される光信号をｍ：ｎ光分岐器８３で分岐して入力する。また、ｍ：ｎ光分岐器８３と複数ｎ個のＯＮＵ８２を接続する心線には、それぞれ心線識別情報タグ４１がスライド自在に取り付けられる。この心線識別情報タグ４１には、例えばＲＦＩＤタグまたは二次元バーコードタグを用いることができる。
【００５６】
図９(2) は、通信監視装置３０の構成例を示す。通信監視装置３０は、第７の実施形態に対応するものとして、光信号受信部３１、信号処理部３２、表示制御部３３、さらに心線識別情報タグ４１と通信して記録されている心線識別情報を読み取る心線識別情報読取部３４、必要に応じて外部のデータベース（ＤＢ）４２と通信する無線通信部３５を有する。
【００５７】
図１０は、第７の実施形態の通信監視装置３０の処理例を示す。なお、第１〜第６の実施形態に示したＯＮＵ固有情報（ＭＡＣアドレス、ＶＬＡＮＩＤ）ごとに通信中または待機中を示す通信状態（例えば図２(3) に示す表示テーブル）はすでに取得済みとし、それ以降の処理例を示す。
【００５８】
心線識別情報読取部３４は、確認対象の心線に取り付けられた心線識別情報タグ４１から心線識別情報を読み取り、信号処理部３２へ出力する。ここで、心線識別情報タグ４１に、取り付ける心線に接続されるＯＮＵに対応するＯＮＵ固有情報（ＭＡＣアドレス、ＶＬＡＮＩＤ）を心線識別情報として書き込んであれば、すなわち心線識別情報とＯＮＵ固有情報が一意に対応すれば（心線識別情報＝ＯＮＵ固有情報）、信号処理部３２には心線識別情報としてＯＮＵ固有情報が入力する。信号処理部３２は、ＯＮＵ固有情報（ＭＡＣアドレス、ＶＬＡＮＩＤ）の通信状態を表示する表示テーブル（例えば図２(3) に示す）を参照し、ＯＮＵ固有情報を介して心線識別情報ごとに通信中または待機中を判定し、図１０(3) に示す心線対応表示テーブルを作成する。ここでは、心線識別情報（YYYYYYYY）はＯＮＵ固有情報（aaaaaaaa）に対応して「待機中」と判定される。この心線識別情報の通信中または待機中を示す通信状態は、表示制御部３３から表示部（図示せず）に出力・表示させる。これによりＯＮＵ固有情報に対応するＯＮＵの通信状態を確認することができる。
【００５９】
なお、心線識別情報タグ４１から読み取ったＯＮＵ固有情報（cccccccc）がＯＮＵ固有情報（ＭＡＣアドレス、ＶＬＡＮＩＤ）と通信状態を対応させた表示テーブル（例えば図２(3) ）にない場合は、制御フレームおよびデータフレームが検出できなかったために表示テーブルに未記入の状態であり、「通信無」として判定することができる。図９(1) の通信監視装置30の表示例はそれを示す。
【００６０】
また、心線識別情報として独自情報（例えばYYYYYYYY）を用いている場合には、この独自情報を心線に接続されるＯＮＵに対応するＯＮＵ固有情報（ＭＡＣアドレス、ＶＬＡＮＩＤ）に変換する処理が行われる。信号処理部３２は、心線識別情報とＯＮＵ固有情報が一意に対応しない場合（心線識別情報≠ＯＮＵ固有情報）、心線識別情報を無線通信部３５に出力し、無線通信部３５からデータベース（ＤＢ）４２にアクセスする。データベース（ＤＢ）４２は、図１０(2) に示す心線識別情報とＯＮＵ固有情報を対応させた変換テーブルを有しており、心線識別情報（YYYYYYYY）に対応するＯＮＵ固有情報（bbbbbbbb）を無線通信部３５に折り返し、さらに信号処理部３２に入力する。
【００６１】
以下同様であり、信号処理部３２は、ＯＮＵ固有情報（ＭＡＣアドレス、ＶＬＡＮＩＤ）と通信状態を対応させた表示テーブル（例えば図２(3) に示す）を参照し、ＯＮＵ固有情報を介して心線識別情報ごとに通信中または待機中を判定し、図１０(3) に示す心線対応表示テーブルを作成する。この心線識別情報の通信中または待機中を示す通信状態は、表示制御部３３から表示部（図示せず）に出力・表示させる。これによりＯＮＵ固有情報に対応するＯＮＵの通信状態を確認することができる。
【００６２】
なお、心線識別情報タグ４１から読み取った心線識別情報（ZZZZZZZZ）に対応するＯＮＵ固有情報（cccccccc）がＯＮＵ固有情報（ＭＡＣアドレス、ＶＬＡＮＩＤ）と通信状態を対応させた表示テーブル（例えば図２(3) ）にない場合は、制御フレームおよびデータフレームが検出できなかったために表示テーブルに未記入の状態であり、「通信無」として判定することができる。図９(1) の通信監視装置30の表示例はそれを示す。
【００６３】
（第８の実施形態）
本実施形態は、ＯＮＵに接続される光ファイバ伝送路の心線に心線識別情報を書き込んだ心線識別情報タグを取り付け、通信監視装置と無線通信可能な監視端末装置がその心線識別情報を読み取り、その心線識別情報を通信監視装置に通知し、通信監視装置で第１〜第６の実施形態に示したＯＮＵ固有情報（ＭＡＣアドレス、ＶＬＡＮＩＤ）に対応させることにより、心線に接続されるＯＮＵを認識しながらその通信状態を確認できるようにしたものである。
【００６４】
図１１は、本発明の通信監視装置および監視端末装置の第８の実施形態を示す。
図１１(1) は、本発明の通信監視装置５０および監視端末装置６０が用いられるポイント・ツー・マルチポイントシステムの構成例を示す。図１(1) に示す構成例と同じであり、本実施形態の通信監視装置５０は光分岐器８６に接続され、各ＯＮＵ８２からＯＬＴ８４へ伝送される光信号を光分岐器８６で分岐して入力する。また、ｍ：ｎ光分岐器８３と複数ｎ個のＯＮＵ８２を接続する心線には、それぞれ心線識別情報タグ４１がスライド自在に取り付けられる。この心線識別情報タグ４１には、例えばＲＦＩＤタグまたは二次元バーコードタグを用いることができる。
【００６５】
図１１(2) は、通信監視装置５０の構成例を示す。通信監視装置５０は、第８の実施形態に対応するものとして、光信号受信部５１、信号処理部５２、表示制御部５３、さらに監視端末装置６０および必要に応じて外部のデータベース４２と通信する無線通信部５５を有する。
【００６６】
図１１(3) は、監視端末装置６０の構成例を示す。監視端末装置６０は、心線識別情報タグ４１と通信して記録されている心線識別情報を読み取る心線識別情報読取部６１、通信監視装置５０および必要に応じて外部のデータベース４２と通信する無線通信部６２、必要に応じて設けられる表示制御部６３を有する。
【００６７】
図１２は、第８の実施形態の通信監視装置５０および監視端末装置６０の処理例を示す。なお、第１〜第６の実施形態に示したＯＮＵ固有情報（ＭＡＣアドレス、ＶＬＡＮＩＤ）ごとに通信中または待機中を示す通信状態（例えば図２(3) に示す表示テーブル）はすでに取得済みとし、それ以降の処理例を示す。
【００６８】
監視端末装置６０の心線識別情報読取部６１は、確認対象の心線に取り付けられた心線識別情報タグ４１から心線識別情報を読み取り、無線通信部６２へ出力する。ここで、心線識別情報タグ４１に、取り付ける心線に接続されるＯＮＵに対応するＯＮＵ固有情報（ＭＡＣアドレス、ＶＬＡＮＩＤ）を心線識別情報として書き込んであれば、すなわち心線識別情報とＯＮＵ固有情報が一意に対応すれば（心線識別情報＝ＯＮＵ固有情報）、無線通信部６２には心線識別情報としてＯＮＵ固有情報が入力する。無線通信部６２は、この心線識別情報（＝ＯＮＵ固有情報）を通信監視装置５０に送信する。通信監視装置５０は、無線通信部５５でこの心線識別情報（＝ＯＮＵ固有情報）を受信して信号処理部５２へ出力する。
【００６９】
信号処理部５２は、ＯＮＵ固有情報（ＭＡＣアドレス、ＶＬＡＮＩＤ）と通信状態を対応させた表示テーブル（例えば図２(3) に示す）を参照し、ＯＮＵ固有情報を介して心線識別情報ごとに通信中または待機中を判定し、図１０(3) に示す心線対応表示テーブルを作成する。この心線識別情報ごとに通信中または待機中を示す通信状態は、表示制御部５３から表示部（図示せず）に出力・表示させる。これによりＯＮＵ固有情報に対応するＯＮＵの通信状態を確認することができる。
【００７０】
なお、心線識別情報タグ４１から読み取ったＯＮＵ固有情報（cccccccc）がＯＮＵ固有情報（ＭＡＣアドレス、ＶＬＡＮＩＤ）と通信状態を対応させた表示テーブル（例えば図２(3) ）にない場合は、制御フレームおよびデータフレームが検出できなかったために表示テーブルに未記入の状態であり、「通信無」として判定することができる。図１１(1) の通信監視装置30の表示例はそれを示す。
【００７１】
また、心線識別情報として独自情報（例えばYYYYYYYY）を用いている場合には、この独自情報を心線に接続されるＯＮＵに対応するＯＮＵ固有情報（ＭＡＣアドレス、ＶＬＡＮＩＤ）に変換する処理が行われる。ここで、心線識別情報とＯＮＵ固有情報が一意に対応しない場合（心線識別情報≠ＯＮＵ固有情報）の変換処理にはデータベース（ＤＢ）４２が用いられるが、監視端末装置６０がデータベース（ＤＢ）４２と通信可能であるか否かによって処理手順が異なる。
【００７２】
まず、監視端末装置６０がデータベース（ＤＢ）４２と通信可能である場合には、監視端末装置６０の無線通信部６２からデータベース（ＤＢ）４２にアクセスする。データベース（ＤＢ）４２は、図１０(2) に示す心線識別情報とＯＮＵ固有情報を対応させた変換テーブルを有しており、心線識別情報（YYYYYYYY）に対応するＯＮＵ固有情報（bbbbbbbb）を無線通信部６２に折り返す。無線通信部６２は、この心線識別情報（＝ＯＮＵ固有情報）を通信監視装置５０に送信し、無線通信部５５を介して信号処理部５２に入力する。その後は、心線識別情報とＯＮＵ固有情報が一意に対応していた場合と同様であり、通信監視装置５０は、心線識別情報に対する通信中または待機中を示す通信状態を判定し、表示制御部５３から表示部（図示せず）に出力・表示させる。これによりＯＮＵ固有情報に対応するＯＮＵの通信状態を確認することができる。
【００７３】
一方、監視端末装置６０がデータベース（ＤＢ）４２と通信可能でない場合には、監視端末装置６０の無線通信部６２から通信監視装置５０の無線通信部５５を介して信号処理部５２に、監視端末装置６０で読み取った心線識別情報（YYYYYYYY）がそのまま転送される。その後の処理は、第７の実施形態と同様であり、信号処理部５２は、心線識別情報（YYYYYYYY）を無線通信部５５に出力し、無線通信部５５からデータベース（ＤＢ）４２にアクセスする。データベース（ＤＢ）４２は心線識別情報（YYYYYYYY）に対応するＯＮＵ固有情報（bbbbbbbb）を無線通信部５５に折り返し、さらに信号処理部５２に入力する。
【００７４】
信号処理部５２は、ＯＮＵ固有情報（ＭＡＣアドレス、ＶＬＡＮＩＤ）と通信状態を対応させた表示テーブル（例えば図２(3) に示す）を参照し、ＯＮＵ固有情報を介して心線識別情報ごとに通信中または待機中を判定する。この心線識別情報ごとに通信中または待機中を示す通信状態は、表示制御部５３から表示部（図示せず）に出力・表示させる。これによりＯＮＵ固有情報に対応するＯＮＵの通信状態を確認することができる。
【００７５】
なお、心線識別情報タグ４１から読み取った心線識別情報（ZZZZZZZZ）に対応するＯＮＵ固有情報（cccccccc）がＯＮＵ固有情報（ＭＡＣアドレス、ＶＬＡＮＩＤ）と通信状態を対応させた表示テーブル（例えば図２(3) ）にない場合は、制御フレームおよびデータフレームが検出できなかったために表示テーブルに未記入の状態であり、「通信無」として判定することができる。図１１(1) の通信監視装置30の表示例はそれを示す。
【００７６】
また、通信監視装置５０の信号処理部５２で得られた心線対応表示テーブルの情報は、表示制御部５３に出力されるとともに、無線通信部５５を介して監視端末装置６０に送信し、監視端末装置６０の無線通信部６２から表示制御部６３を介して、監視端末装置６０の表示部に表示するようにしてもよい。
【図面の簡単な説明】
【００７７】
【図１】本発明の通信監視装置の第１の実施形態を示す図。
【図２】第１の実施形態の通信監視装置の処理例を示す図。
【図３】第２の実施形態の通信監視装置の処理例を示す図。
【図４】第３の実施形態の通信監視装置の処理例を示す図。
【図５】第４の実施形態の通信監視装置の処理例を示す図。
【図６】本発明の通信監視装置の第５の実施形態を示す図。
【図７】第５の実施形態の通信監視装置の処理例を示す図。
【図８】第６の実施形態の通信監視装置の処理例を示す図。
【図９】本発明の通信監視装置の第７の実施形態を示す図。
【図１０】第７の実施形態の通信監視装置の処理例を示す図。
【図１１】本発明の通信監視装置および監視端末装置の第８の実施形態を示す図。
【図１２】第８の実施形態の通信監視装置および監視端末装置の処理例を示す図。
【図１３】ポイント・ツー・ポイント通信を行う光アクセスシステムの構成例。
【図１４】ポイント・ツー・マルチポイント通信を行う光アクセスシステムの構成例。
【図１５】光アクセスシステムにおける従来の通信状態確認方法を説明する図。
【符号の説明】
【００７８】
１０，２０，３０，５０  通信監視装置
１１，２１，３１，５１  光信号受信部
１２，２２，３２，５２  信号処理部
１３，２３，３３，５３  表示制御部
３４，６１  心線識別情報読取部
３５，６２  無線通信部
４１  心線識別情報タグ
４２  データベース（ＤＢ）
５５，６２  無線通信部
６０  監視端末装置
６１  心線識別情報読取部
６３  表示制御部
８１  通信端末
８２  光ネットワーク終端装置（ＯＮＵ）
８３  ｍ：ｎ光分岐器
８４  光加入者線終端装置（ＯＬＴ）
８５  光ファイバ伝送路
８６  光分岐器
９１  バックボーンネットワーク
９２  制御監視オペレーションシステム
【図１】
0004950089.tif 000002
【図２】
0004950089.tif 000003
【図３】
0004950089.tif 000004
【図４】
0004950089.tif 000005
【図５】
0004950089.tif 000006
【図６】
0004950089.tif 000007
【図７】
0004950089.tif 000008
【図８】
0004950089.tif 000009
【図９】
0004950089.tif 000010
【図１０】
0004950089.tif 000011
【図１１】
0004950089.tif 000012
【図１２】
0004950089.tif 000013
【図１３】
0004950089.tif 000014
【図１４】
0004950089.tif 000015
【図１５】
0004950089.tif 000016